(57)【要約】【課題】  現像剤補給容器の脱着時に容器と装置シャッタとの間に侵入した現像剤を拭き取り可能とした現像剤補給容器を提供する。【解決手段】  現像剤を受入れる受け入れ口と、前記受け入れ口を開閉する装置シャッタを有する現像装置に着脱自在な現像剤供給容器において、現像剤を収容する容器本体１ａと、前記容器本体１ａの周面に設けられ前記受入れ口を通して前記現像装置へ現像剤を供給する補給口１ｂと、前記補給口１ｂの周辺に設けられた現像剤を拭き取るシール部材９とを有し、シール部材９は前記装置シャッタを開いて前記補給口１ｂと前記受け入れ口を連通した状態から前記装置シャッタにより前記受け入れ口を閉じるとき、前記装置シャッタの周面に摺擦しながら、前記装置シャッタに対して相対移動をすることを特徴とする。【選択図】    図３
2006163374.tif 000002
【特許請求の範囲】
【請求項１】
現像剤を受け入れる受け入れ口と、前記受け入れ口を開閉するシャッタと、を有する現像剤受け入れ装置に着脱自在な現像剤補給容器において、
前記シャッタと係合自在な係合部であって、前記現像剤補給容器の移動に伴い前記シャッタを開閉移動させる係合部と、
前記現像剤受け入れ装置から前記現像剤補給容器の取り外しを許容する位置と前記現像剤補給容器から前記現像剤受け入れ装置へ現像剤を補給する位置との間において前記現像剤補給容器が前記シャッタに対して相対移動するとき、前記シャッタを清掃する清掃部材と、
を有することを特徴とする現像剤補給容器。
【請求項２】
前記清掃部材は前記現像剤補給容器と前記現像剤受け入れ装置間の隙間を塞ぐように設けられていることを特徴とする請求項１記載の現像剤補給容器。
【請求項３】
前記清掃部材は前記現像剤受け入れ装置との間で圧縮自在な弾性体を有することを特徴とする請求項２記載の現像剤補給容器。
【請求項４】
前記弾性体は不織布を有することを特徴とする請求項３記載の現像剤補給容器。
【請求項５】
前記係合部は前記現像剤補給容器の移動に伴い前記シャッタと連結自在なスナップロック部を有することを特徴とする請求項１記載の現像剤補給容器。
【請求項６】
前記現像剤補給容器が前記現像剤受入れ装置に対し着脱されるとき前記清掃部材は前記シャッタを清掃することを特徴とする請求項１記載の現像剤補給容器。
【請求項７】
前記現像剤補給容器の前記補給位置から前記取り出し位置への移動に伴い前記清掃部材を遮蔽する遮蔽部材を有することを特徴とする請求項１記載の現像剤補給容器。
【請求項８】
前記現像剤補給容器の移動は回転移動であることを特徴とする請求項１記載の現像剤補給容器。
【請求項９】
現像剤を受け入れる受け入れ口と、前記受け入れ口を開閉するシャッタと、を有する現像剤受け入れ装置に着脱自在な現像剤補給容器において、
現像剤を収容する容器と、
前記容器内の現像剤を排出する排出口と、
前記シャッタと係合自在な係合部であって、前記現像剤補給容器の移動に伴い前記シャッタを開閉移動させる係合部と、
前記現像剤受け入れ装置から前記現像剤補給容器の取り外しを許容する位置と前記排出口が前記受け入れ口と連通する位置との間を前記現像剤補給容器が前記シャッタに対して相対移動するとき、前記シャッタを清掃する清掃部材と、
を有することを特徴とする現像剤補給容器。
【請求項１０】
前記現像剤補給容器の前記取り出し位置から前記補給位置への移動方向において、前記清掃部材は前記排出口よりも下流側に設けられていることを特徴とする請求項９記載の現像剤補給容器。
【請求項１１】
前記清掃部材は前記現像剤補給容器と前記現像剤受け入れ装置間の隙間を塞ぐように設けられていることを特徴とする請求項９記載の現像剤補給容器。
【請求項１２】
前記清掃部材は前記現像剤受け入れ装置との間で圧縮自在な弾性体を有することを特徴とする請求項１１記載の現像剤補給容器。
【請求項１３】
前記弾性体は不織布を有することを特徴とする請求項１２記載の現像剤補給容器。
【請求項１４】
前記清掃部材は前記排出口の周りを囲むように設けられていることを特徴とする請求項９記載の現像剤補給容器。
【請求項１５】
前記係合部は前記現像剤補給容器の移動に伴い前記シャッタと連結自在なスナップロック部を有することを特徴とする請求項９記載の現像剤補給容器。
【請求項１６】
前記現像剤補給容器が前記現像剤受入れ装置に対し着脱されるとき前記清掃部材は前記シャッタを清掃することを特徴とする請求項９記載の現像剤補給容器。
【請求項１７】
前記現像剤補給容器の移動に伴い前記排出口を開閉する容器シャッタを有し、前記現像剤補給容器が前記取り出し位置にあるとき前記容器シャッタは前記清掃部材を遮蔽していることを特徴とする請求項９記載の現像剤補給容器。
【請求項１８】
前記現像剤補給容器の移動は回転移動であることを特徴とする請求項９記載の現像剤補給容器。
【請求項１９】
現像剤を受け入れる受け入れ口と、前記受け入れ口を開閉するシャッタと、を有する現像剤受け入れ装置に着脱自在な現像剤補給容器において、
現像剤を収容する容器と、
前記容器の外面に設けられ、前記装置シャッタとの相対移動に伴い前記装置シャッタと摺擦する摺擦部材と、
を有することを特徴とする現像剤補給容器。
【発明の詳細な説明】
【技術分野】
【０００１】
本発明は、複写機、ファクシミリ、プリンタ等に用いられる現像剤受け入れ装置に、現像剤を補給する現像剤補給容器に関する。
【背景技術】
【０００２】
従来、電子写真複写機やプリンタ等の画像形成装置には微粉末の現像剤が使用されている。そして、画像形成装置本体の現像剤が消費された場合、現像剤補給容器を用いて画像形成装置へ現像剤を補給することが行われている。ただ、現像剤は極めて微細な粉末であるため、現像剤補給作業時に現像剤が飛散するおそれがあった。このため、現像剤補給容器を画像形成装置本体内部に据え置いて、小さな開口部から少量ずつ現像剤を補給する方式が提案、実用されている。
【０００３】
例えば、特開平１０−５５１０３号公報には、現像装置の現像剤受け入れ口に設けられたシャッタを現像剤補給容器の回転により開閉する構成が記載されている。
【０００４】
具体的には、現像剤補給容器を装着した時点で、現像装置のシャッタの両縁が現像剤補給容器の周面に設けられた突起により保持される。この状態で、現像剤補給容器を回転させることによりシャッタの開閉移動が行われる。
【０００５】
【特許文献１】特開平１０−５５１０３号公報
【発明の開示】
【発明が解決しようとする課題】
【０００６】
上記のような構成の場合、現像剤補給容器の回転によりシャッタが過ぎ去った後に生ずるスペースに現像剤が現像剤補給中に侵入してしまう恐れがある。そして、上述の構成の場合、現像剤補給容器の回転当初から現像装置のシャッタが連れ回りする構成とされているので、シャッタに付着した現像剤が原因で現像剤補給容器の外面が汚れてしまう恐れがある。
【０００７】
本発明の目的は、現像剤受け入れ装置のシャッタの現像剤汚れを抑制することができる現像剤補給容器を提供することである。
【０００８】
本発明の他の目的は、現像剤補給容器の外面が現像剤で汚れてしまうのを抑制するができる現像剤補給容器を提供することである。
【課題を解決するための手段】
【０００９】
上記課題を解決するための本発明における代表的な手段は、現像剤を受け入れる受け入れ口と、前記受け入れ口を開閉するシャッタと、を有する現像剤受け入れ装置に着脱自在な現像剤補給容器において、前記シャッタと係合自在な係合部であって、前記現像剤補給容器の移動に伴い前記シャッタを開閉移動させる係合部と、前記現像剤受け入れ装置から前記現像剤補給容器の取り外しを許容する位置と前記現像剤補給容器から前記現像剤受け入れ装置へ現像剤を補給する位置との間において前記現像剤補給容器が前記シャッタに対して相対移動するとき、前記シャッタを清掃する清掃部材と、を有することを特徴とする。
【発明の効果】
【００１０】
本発明にあっては、現像剤補給容器の脱着時に容器とシャッタとの間に侵入した現像剤を拭き取ることができ、現像剤による汚れを抑制できる。
【発明を実施するための最良の形態】
【００１１】
以下、本発明の一実施形態に係る現像剤補給容器について説明する前に、現像剤補給容器から現像剤の補給を受ける画像形成装置について説明する。
【００１２】
〔第１実施形態〕
｛画像形成装置｝
まず最初に本発明の第１実施形態に係る現像剤補給容器が装着される電子写真画像形成装置の一例である電子写真複写機の構成について図１に基づいて説明する。
【００１３】
同図において、100は電子写真複写機本体（以下「装置本体100」という）である。また、101は原稿であり、原稿台ガラス102の上に置かれる。そして、画像情報に応じた光像が光学部103の複数のミラーＭとレンズＬｎにより、電子写真感光体ドラム104上に結像する。105〜108はカセットである，これらカセット105〜108に積載された記録媒体（以下、「シート」という）Ｓのうち、操作部から使用者が入力した情報もしくは原稿101のシートサイズから最適なシートをカセット105〜108のシートサイズ情報から選択する。ここで、記録媒体としては、用紙に限定されずに、例えばＯＨＰシート等適宜選択できる。
【００１４】
そして、給送分離装置105Ａ〜108Ａにより搬送された１枚のシートＳを、搬送部109を経由してレジストローラ110まで搬送し、感光体ドラム104の回転と、光学部103のスキャンのタイミングを同期させて搬送する。なお、111，112は転写放電器、分離放電器である。ここで、転写放電器111によって、感光体ドラム104上に形成された現像剤による像をシートＳに転写する。そして、分離放電器112によって、現像剤像の転写されたシートＳを感光体ドラム104から分離する。
【００１５】
この後、搬送部113により搬送されたシートＳは、定着部114において熱と圧によりシート上の現像剤像を定着させた後、片面コピーの場合には、排出反転部115を通過し、排出ローラ116により排出トレイ117へ排出される。また、両面コピーの場合には、排出反転部115のフラッパ118の制御により、再給送搬送部119，120を経由してレジストローラ110まで搬送された後、片面コピーの場合と同様の経路をたどって排出トレイ117へ排出される。
【００１６】
また、多重コピーの場合には、シートＳは排出反転部115を通り、一度排出ローラ116により一部が装置外へ排出される。そして、この後、シートＳの終端がフラッパ118を通過し、排出ローラ116にまだ挟持されているタイミングでフラッパ118を制御すると共に排出ローラ116を逆回転させることにより、再度装置内へ搬送される。さらにこの後、再給送搬送部119，120を経由してレジストローラ110まで搬送された後、片面コピーの場合と同様の経路をたどって排出トレイ117へ排出される。
【００１７】
上記構成の装置本体100において、感光体ドラム104の回りには現像装置201、クリーナ部202、一次帯電器203等が配置されている。なお、クリーナ部202は、感光体ドラム104に残留している現像剤を除去するためのものである。また、一次帯電器203は、感光体ドラム104を帯電するためのものである。
【００１８】
｛現像装置｝
ここで、現像装置201は原稿101の情報を光学部103により感光体ドラム104に形成された静電潜像を現像剤を用いて現像するものである。そして、この現像装置201へ現像剤を補給するための現像剤補給容器１が装置本体100に使用者によって着脱可能に設けられている。ここで、現像装置201は現像剤補給容器１を取り外し可能に装着する後述する現像剤受け入れ装置と現像器201ａとを有しており、更に現像器201ａは、現像ローラ201ｂと、送り部材201ｃを有している。現像剤補給容器１から補給された現像剤は、送り部材201ｃにより現像ローラ201ｂに送られて、この現像ローラ201ｂにより感光体ドラム104に供給される。なお、現像ローラ201ｂには、図２に示すように、ローラ上の現像剤コート量を規制する規制部材としての現像ブレード201ｄ、現像器201ａとの間の現像剤の漏れを防止するために現像ローラに接触配置された現像剤漏れ防止部材としての吹き出し防止シート201ｅが設けられている。
【００１９】
また、図１に示すように、外装カバーの一部である現像剤補給容器交換用カバー15が設けてあり、使用者が現像剤補給容器１を装置本体100に装脱着を行う際は、図１の矢印Ａ方向に交換用カバー15を開けて行う。
【００２０】
｛現像剤補給容器｝
次に本実施形態における現像剤補給容器１の構成について、図３を用いて説明する。現像剤補給容器１の現像剤を収納する容器本体１ａは略円筒形状であり、容器本体１ａの周面には、現像装置に現像剤を補給するための現像剤補給口１ｂが設けられている。この現像剤補給口１ｂは現像剤補給容器の長手方向に延びるスリット状とされている。さらに、現像剤補給容器１の回転に伴い現像剤受け入れ装置７（図４参照）の装置シャッタ８と係合し開閉移動させるための係合部としてのスナップロック部６が容器の周面に設けられている。このスナップロック部を容器の長手方向の両端側にそれぞれ設けることにより、装置シャッタの開閉移動時のヨーイングを防止している。このスナップロック部は容器本体と樹脂にて一体成型されており、その弾性力を利用して装置シャッタの係合部と連結する構成とされている。また、後述するように、スナップロック部は装置シャッタの係合部から離脱できる程度の弾性力となるようにその強度が設定されている。なお、容器本体に設けられた係合部としてスナップロック方式のものを採用したことにより装置シャッタの開封と再封の双方を行えるようになっているが、このような構成だけに限られない。例えば、付勢バネを利用したリンク方式の構成や、装置シャッタ８の開封用と再封用の係合突起を別々に設ける構成であっても構わない。
【００２１】
更に、容器本体１ａの長手方向の一端には現像剤充填口１ｃが設けられており、現像剤充填後不図示の封止部材等により封止される。また、現像剤補給容器１には、ユーザが現像剤補給容器１の補給操作時に掴むハンドル２が現像剤補給容器１の長手方向の両端に固定されて設けられている。
【００２２】
現像剤補給口１ｂは、図３(a)に示すように、現像剤補給容器１の外周面に沿った形状である容器シャッタ３により封止されている。容器シャッタ３は、現像剤補給口１ｂの長手方向の両端に設けられたガイド部材１ｄと係合しており、円周方向に沿ってスライド移動し、現像剤補給口１ｂを開閉自在に封止する。
【００２３】
更に、本実施形態の現像剤補給容器１は、図３(a)、(c)に示すように、容器本体１ａの現像剤補給口１ｂ近傍に装置シャッタと摺動自在に設けられた清掃部材としてのシール部材９が設けられている。このシール部材９は、長手方向の長さが少なくとも現像剤補給口１ｂの長手方向の幅（長さ）よりも長く設定されている。また、このシール部材は、現像剤補給容器の後述の補給位置から取り出し位置への回動方向において、現像剤補給口１ｂよりも上流側に取り付けられている。さらに、現像剤補給容器１を現像剤受け入れ装置７に装填し、現像剤を補給可能な状態となったとき、シール部材９が現像剤補給容器１と現像剤受け入れ装置７間の隙間を塞ぐように設けられている。その結果、現像剤補給中に、現像剤補給容器１と現像剤受け入れ装置７間の隙間に現像剤が進入してしまうのを抑制することが可能となる。
【００２４】
また、シール部材９は、現像剤補給容器の回動操作時において、装置シャッタ８と摺擦可能に設けられている。なお、シール部材９の現像剤を拭き取り保持する機能を向上させる場合、図３(d)に示すように、シール部材９の設置面積を極力大きくするのが好ましい。しかし、図３(a)に示すように、現像剤補給口１ｂが容器シャッタ３により封止された状態において、シール部材９を容器シャッタ３により遮蔽することを考慮すると、シール部材は適宜な大きさに設定するのが好ましい。即ち、後述するように、装置シャッタに僅かに付着した現像剤を拭き取ることで汚れているシール部材を容器シャッタ３により遮蔽することができる。その結果、ユーザがシール部材を触ることにより現像剤で汚れてしまうのを防止することが可能となる。
【００２５】
更にシール部材９は、図３(e)に示すような現像剤補給口１ｂを取り囲むような構成にすれば、現像剤排出時の密閉性確保にはより好ましい。
【００２６】
シール部材９の材質は、装置シャッタ８との摺擦圧を考慮すると、低密度であることが好ましく、具体的には低発泡ポリウレタン等の発泡体、羊毛や絹等の動物性繊維や、綿、麻等の植物性繊維、あるいはナイロン、ポリエステル、アクリル等の合成繊維等がベースとなる織布もしくは不織布、等が挙げられる。そして、シール部材９は現像剤受け入れ装置７との間で圧縮自在な弾性体であることが好ましい。
【００２７】
また、容器本体１ａには撹拌部材４が内装され、更に容器本体１ａの長手方向の端部（現像剤充填口１ｃが設けられている端部と反対側の端部）には前記撹拌部材４と連動する駆動ギア部材５が設けられている。従って、現像剤補給容器１を画像形成装置本体に装着した後、装置本体からの駆動力を駆動ギア部材５を介して撹拌部材４が受けて回転し、現像剤補給容器内の現像剤を現像剤補給口１ｂから排出して現像装置に現像剤を補給する構成になっている。
【００２８】
｛現像剤受け入れ装置｝
次に前記現像剤補給容器１を受け入れる現像装置の一部である現像剤受け入れ装置７の構成について、図４(a)〜(c)を用いて説明する。
【００２９】
現像剤受け入れ装置７には、現像剤補給容器１を取り外し可能に装着する半円筒形状の収納部７ａと、現像剤補給容器１から排出された現像剤を現像器201ａ（図２参照）に受け入れる現像剤受け入れ口７ｂが設けられている。
【００３０】
更に、現像剤受け入れ装置７には、前記現像剤受け入れ口７ｂを開閉自在に封止する装置シャッタ８が設けられている。装置シャッタ８は、現像剤補給容器１及び収納部７ａの周面形状に沿った半円筒面の形状を有し、収納部７ａの下縁に設けられたガイド部材７ｃと係合しており、円周方向に沿ってスライド移動し、受け入れ口７ｂを開閉自在に封止する。
【００３１】
前記装置シャッタ８は、現像剤補給容器１を収納部７ａに装着していない時は、図４(c)に示すように、装置シャッタ８の端部を現像剤受け入れ装置７に設けたストッパ７ｄに当接させて受け入れ口７ｂを閉鎖し、画像形成装置本体側から収納部７ａ側へ現像剤が逆流しないようにする。また、装置シャッタ８には、現像剤補給容器１の補給操作時に、現像剤補給容器１のスナップロック部６と係合する係合部８ａが設けられている。
【００３２】
｛現像剤補給動作｝
次に、第１実施形態における現像剤補給容器１及び現像剤受け入れ装置７を用いた現像剤補給操作について、図５(a)(b)、図６(a)〜(c)を用いて説明する。
【００３３】
まず、現像剤補給容器１を、現像剤受け入れ装置７へ図５(a)の矢印Ｆ方向から装着する。このとき、現像剤補給容器１の現像剤補給口１ｂは、容器シャッタ３によって閉じられた状態にあり、装置シャッタ８によって閉じられている受け入れ口７ｂから離れた位相に位置している（これを取り出し位置と呼ぶ）。この取り出し位置にある現像剤補給容器は現像剤受入れ装置から取り出すことが可能な構成とされている。また、容器シャッタ３は、ストッパ７ｄにより円周方向への回転移動が規制された状態にある（図５(a)、図６(a)参照）。
【００３４】
次に、ユーザがハンドル２を現像剤充填口１ｃ側から軸線方向に見て反時計回り方向（図５(b)の矢印Ｇ方向、図６の反時計回り方向）に回転させると、容器シャッタ３はストッパ７ｄによる規制により回転されず、現像剤補給容器１のみ回転する。これにより、容器シャッタ３は現像剤補給口１ｂを開封するように移動する。
【００３５】
更に回転が進んで、現像剤補給口１ｂの下縁が容器シャッタ３の下縁から露出する（図６(b)参照）のと略同時に、スナップロック部６は装置シャッタ８の係合部８ａと係合する。
【００３６】
つまり、現像剤補給容器の回転開始時点（図６（ａ））からスナップロック部６が装置シャッタ８と係合、連結する時点（図６（ｂ））までは、装置シャッタ８は停止しており、現像剤補給容器が相対回転している。後述するように、この現像剤補給容器の装置シャッタに対する相対回転時に、シール部材９が装置シャッタ８の表面と摺擦することにより装置シャッタを清掃することが可能な構成となっている。
【００３７】
更に現像剤補給容器１を回転させると、装置シャッタ８はスナップロック部６との係合により現像剤補給容器１と連動して回転するため、受け入れ口７ｂが開封され、最終的に現像剤補給口１ｂと連通する（図５(b)、図６(c)参照）。
【００３８】
この現像剤補給口１ｂと受け入れ口７ｂとが互いに連通した位置を補給位置と呼ぶ。この状態で、画像形成装置本体からの駆動力を駆動ギア部材５を介して撹拌部材４に伝達されて現像剤排出が行われる。
【００３９】
そして、現像剤補給容器１内の現像剤補給終了後、受け入れ口７ｂの下縁上には現像剤補給容器１から現像剤補給中に蓄積された現像剤が残留した状態となっている（図６(d)参照）。
【００４０】
この状態において、ユーザが今度は逆にハンドル２を現像剤充填口１ｃ側から軸線方向に見て時計回り方向（図６の時計回り方向））に回転させる。すると、装置シャッタ８は、その上縁が現像剤補給口１ｂの下縁と略一致した位置関係を保ったまま、スナップロック部６との係合により現像剤補給容器１と連動して回転し、受け入れ口７ｂを密閉する。
【００４１】
その際、前述の蓄積された現像剤の殆どは装置本体内もしくは容器本体１ａ内に回収されるが、未回収分は現像剤補給容器１と装置シャッタ８との間に入り込み、装置シャッタ８の内表面に僅かに付着してしまうおそれがある（図６(e)参照）。
【００４２】
しかし、本実施形態ではシール部材９によって前記蓄積現像剤を拭き取り、除去させるように構成している。
【００４３】
これを具体的に説明すると、本実施形態の現像剤補給容器１は、図６(e)の状態から更に現像剤補給容器１を回転させている。このとき、装置シャッタ８は受け入れ口７ｂを完全に閉じた状態にありさらに装置シャッタ８の上縁がストッパ７ｄによってそれ以上の回動が規制されている。
【００４４】
このため、図６(e)の状態から更に現像剤補給容器１を回転させると、装置シャッタ８とスナップロック部６の係合は解除され、現像剤補給容器１は装置シャッタ８と分離して相対回転する。その際、シール部材９は装置シャッタ８の内周面に摺擦（摺動）するように設けられている。その結果、このシール部材の摺擦により装置シャッタ８の表面が清掃される。つまり、装置シャッタ８の表面に付着した現像剤はシール部材９により回収される（図６(f)参照）。
【００４５】
更に現像剤補給容器１を回転させると、現像剤補給容器１は図６(a)の状態、即ち、取り出し位置に戻る。このとき現像剤補給容器１は更なる回転が規制された状態にある。
【００４６】
この時点でユーザが現像剤補給容器１を現像剤受け入れ装置７から取り出すことが可能となる。その後、ユーザが新品の現像剤補給容器を装着し、取り出し位置から補給位置へのセット動作を行うことにより、一連の現像剤補給操作が完了する。
【００４７】
現像剤補給容器を取り出した時点では、装置シャッタ８の表面には現像剤が殆ど付着していない状態にある。従って、現像剤補給容器１を現像剤受け入れ装置７から取り出した際に装置シャッタ８が露出するような構成であっても、ユーザは現像剤の飛散などを気にせずに現像剤補給容器１を装着できる。また、新品の現像剤補給容器を装着した際に、装置シャッタとの接触により現像剤補給容器の外面が現像剤で汚れてしまうのを抑制することができる。
【００４８】
つまり、本例では、現像剤補給容器を取り出し位置から補給位置へ回動させる開封工程と、現像剤補給容器を補給位置から取り出し位置へ回動させる再封工程の双方で装置シャッタを清掃することが可能である。
【００４９】
なお、本例では、現像剤が付着したシール部材９は容器シャッタ３により完全に覆われるため、ユーザが取り出し後の現像剤補給容器に触れた際に手に現像剤が付着することはない。
【００５０】
なお、本実施形態では、現像剤補給口１ｂと受け入れ口７ｂの連通する位相を略水平方向にした例を示したが（図６(c)参照）、連通位置を略水平方向よりも下側に位置させても良い。このようにすれば、前述した蓄積現像剤の量も減るため、現像剤汚れの改善効果が見込める。
【００５１】
上述のように、装置シャッタ８を開いて現像剤補給口１ｂと受け入れ口７ｂを連通した状態から装置シャッタ８により受け入れ口７ｂを閉じるとき、シール部材９が装置シャッタ８の周面に摺擦しながら、装置シャッタ８に対して相対移動する。その結果、現像剤補給容器１の外面や装置シャッタ８の表面を現像剤で汚す状況を極力回避することが可能となる。
【００５２】
また、現像剤補給口１ｂや受入れ口７ｂの再封動作に連動して、シール部材９により装置シャッタ８の拭き取り清掃が行われるので、これらを別々に行う構成に比して構成が簡易である。つまり、ユーザは開封、再封のための現像剤補給容器の回動動作を行うだけで装置シャッタの清掃が自動的に行われるので、ユーザビリティ性が高いと言える。
【００５３】
また、容器シャッタ３により現像剤補給口１ｂを封止したときに、シール部材９の少なくとも一部が容器シャッタ３により覆われるように構成することにより、現像剤受け入れ装置７から現像剤補給容器１を脱着後、ユーザが現像剤補給容器１に触れた際に手に現像剤が付着するのを極力防ぐことが可能となる。
【００５４】
また、シール部材９は現像剤補給口１ｂよりも現像剤補給容器１の再封のための移動方向上流側に少なくとも設けられているので、現像装置や容器内に回収しきれなかった現像剤もシール部材９により拭き取ることが可能となる。
【００５５】
〔第２実施形態〕
次に第２実施形態に係る装置について図７を参照して説明する。なお、本実施形態の装置の基本構成は前述した実施形態と同一であるため重複する説明は省略し、ここでは本実施形態の特徴となる構成について説明する。なお、前述した実施形態と同一機能を有する部材には同一符号を付す。
【００５６】
本実施形態の現像剤補給容器１は、図７(a)に示すように、画像形成装置本体100に対して手前側から挿入して装着させる構成になっている。具体的には、第１実施形態とは異なり、ハンドル２が容器本体１ａの長手方向端部であって、駆動ギア部材５を設けた側と反対側の端部に設けてある。そして、図７(b)に示すように、現像剤補給容器交換用カバー15は本体手前側に開閉する機構になっており、現像剤補給容器１を長手方向に沿って駆動ギア部材５を先頭に、ハンドル２を持って画像形成装置本体100に挿入して装着する。
【００５７】
そして、挿入後にハンドル２を持って回転させることで前述したように現像剤補給口１ｂを受け入れ口７ｂに一致させて現像剤を補給し、補給後は装填時と逆に回転させて現像剤補給口１ｂ及び受け入れ口７ｂをそれぞれ容器シャッタ３及び装置シャッタ８によって封止して取り出すように構成する。
【００５８】
上記構成にあっても、現像剤補給容器１を取り出すときに該容器１を回転させることで、シール部材９が装置シャッタ８の内周面を摺擦し、装置シャッタ８の上縁に蓄積した現像剤を拭き取ることができる。
【００５９】
〔第３実施形態〕
次に第３実施形態に係る装置について図８及び図９を参照して説明する。なお、本実施形態の装置の基本構成も前述した第１実施形態と同一であるため重複する説明は省略し、ここでは本実施形態の特徴となる構成について説明する。また、前述した実施形態と同一機能を有する部材には同一符号を付す。
【００６０】
前述した第１実施形態では現像剤補給口１ｂを容器シャッタ３のみで封止させる構成にしたが、本実施形態では現像剤補給口１ｂを密閉性を向上させるべく、図８(a)に示すように、現像剤補給口１ｂをシールフィルム14にて封止し、その上を容器シャッタ３で覆う構成にしている。そのためシール部材９は、図８(b)に示すように、シールフィルム14の接着部を回避するように現像剤補給口１ｂから離間して設けられている。このシールフィルム１４は補給口１ｂの周囲に溶着された部分と、この部分からさらに延出させた部分を有している。この延出させた部分はシールフィルムの一端側で折り返されて他端側へと延びている。このシールフィルムの他端側をユーザが掴んで引っ張ることによりシールフィルムを容易に引き剥がすことが可能な構成とされている。
【００６１】
図９(a)〜(f)に、第３実施形態における現像剤補給容器１及び現像剤受け入れ装置７を用いた現像剤補給操作を示す。まず、現像剤補給容器１を、現像剤受け入れ装置７へを装着後、ユーザがシールフィルム14を剥がすと、シールフィルム14が設けられていた箇所に隙間Ａが発生する（図９(a)参照）。
【００６２】
その後、現像剤補給容器１を図９の反時計回り方向に回転させると、第１実施形態と同様に、最終的に現像剤補給口１ｂと受け入れ口７ｂが連通する（図９(b)、(c)参照）が、この状態で現像剤補給容器１から現像剤受け入れ装置７へ現像剤を補給すると、隙間Ａに現像剤が侵入する。
【００６３】
そして、現像剤補給容器１内の現像剤補給終了後は、受け入れ口７ｂの下縁上に加えて隙間Ａにも現像剤補給容器１から補給中に蓄積された現像剤が残留した状態となっている（図９(d)参照）。
【００６４】
この状態において、今度は逆に図９の反時計回り方向に現像剤補給容器１を回転させると、第１実施形態と同様に、受け入れ口７ｂの下縁上の蓄積現像剤の未回収分は現像剤補給容器１と装置シャッタ８との間に入り込むため、隙間Ａ内の蓄積分と合わせると、装置シャッタ８の内表面に付着する量が増えて、第１実施形態よりも更に現像剤汚れが悪化する恐れがある（図９(e)参照）。
【００６５】
しかし、本実施形態においても、その後現像剤補給容器１と装置シャッタ８と分離して相対回転することで、シール部材９は装置シャッタ８の内周面に摺接するように相対移動する。この摺擦により装置シャッタ８の表面に付着した現像剤はシール部材９により確実に取り除かれる（図９(f)参照）。
【００６６】
上記構成の現像剤補給容器１に現像剤を充填し、現像剤受け入れ装置７に装着して現像剤補給後に脱着したところ、現像剤補給容器１及び現像剤受け入れ装置７の現像剤汚れは殆ど確認できなかった。よって、本実施形態によれば、現像剤補給容器着脱の際の現像剤汚れを極力抑えることができることを確認できた。
【００６７】
〔第４実施形態〕
次に第４実施形態に係る装置について図１０(a)〜(f)を参照して説明する。なお、本実施形態の装置の基本構成も前述した第１実施形態と同一であるため重複する説明は省略し、ここでは本実施形態の特徴となる構成について説明する。また、前述した実施形態と同一機能を有する部材には同一符号を付す。
【００６８】
本実施形態は、現像剤補給容器１を現像剤受け入れ装置７に装着する際、現像剤補給口１ｂの回転位相を受け入れ口７ｂよりも下側に位置させて装着させ(図１０(a)参照)、第１実施形態とは逆方向となる、現像剤充填口１ｃ側から軸線方向に見て時計回り方向（図１０の時計回り方向）に回転して現像剤補給口１ｂと受け入れ口７ｂとを連通させ(図１０(b)→(c)参照)、現像剤補給操作を行うようにしたものである。
【００６９】
現像剤補給終了後、受け入れ口７ｂ下縁上には補給中に蓄積された現像剤が残留している（図１０(d)参照）。この状態において、現像剤補給容器１を反時計回り方向に回転して補給口の封止を行うと、第１実施形態と同様、未回収の蓄積現像剤が現像剤補給容器１と装置シャッタ８との間に入り込み、装置シャッタ８の表面に付着してしまう場合がある（図１０(e)参照）。
【００７０】
しかし、本実施形態の場合も第１実施形態の場合と同様に、図１０(e)の状態から更に現像剤補給容器１を回転させると、現像剤補給容器１は装置シャッタ８と相対回転して、シール部材９が装置シャッタ８周面と摺擦し、該装置シャッタ８の表面に付着した現像剤はシール部材９により確実に拭きとられる（図１０(f)）。
【００７１】
上記構成の現像剤補給容器１に現像剤を充填し、現像剤受け入れ装置７に装着して現像剤補給後に脱着したところ、現像剤補給容器１及び現像剤受け入れ装置７の現像剤汚れは殆ど確認できなかった。よって、本実施形態によれば、現像剤補給容器着脱の際の現像剤汚れを極力抑えることができることを確認できた。
【００７２】
〔第５実施形態〕
次に第５実施形態に係る装置について図11を参照して説明する。なお、本実施形態の装置の基本構成は前述した実施形態と同一であるため重複する説明は省略し、ここでは本実施形態の特徴となる構成について説明する。なお、前述した実施形態と同一機能を有する部材には同一符号を付す。
【００７３】
本実施形態の現像剤補給容器１は、現像剤補給容器１を上下方向に直線移動させることで現像剤補給口１ｂと受け入れ口７ｂとを開閉する構成になっている。図11(a)〜(d)に、本実施形態における現像剤補給容器１及び現像剤受け入れ装置７を用いた現像剤補給操作を示す。まず、現像剤補給容器１を、現像剤受け入れ装置７の上部より装着（図11(b)参照）後下方向に移動させると、第１実施形態と同様に、最終的に現像剤補給口１ｂと受け入れ口７ｂが連通する（図11(b)参照）。
【００７４】
そして、現像剤補給容器１内の現像剤補給終了後は、受け入れ口７ｂの下縁上に現像剤補給容器１から補給中に蓄積された現像剤が残留した状態となっている（図11(c)参照）。
【００７５】
この状態において、今度は逆に上方向に現像剤補給容器１を移動させると、第１実施形態と同様に、受け入れ口７ｂの下縁上の蓄積現像剤の未回収分は現像剤補給容器１と装置シャッタ８との間に入り込む（図11(d)参照）。
【００７６】
しかし、本実施形態においても、その後現像剤補給容器１と装置シャッタ８と分離して相対移動することで、シール部材９は装置シャッタ８の内周面に摺接するように相対移動する。この摺擦により装置シャッタ８の表面に付着した現像剤はシール部材９により確実に取り除かれる。
【００７７】
〔第６実施形態〕
次に第６実施形態に係る装置について図12を参照して説明する。なお、本実施形態の装置の基本構成は前述した実施形態と同一であるため重複する説明は省略し、ここでは本実施形態の特徴となる構成について説明する。なお、前述した実施形態と同一機能を有する部材には同一符号を付す。
【００７８】
本実施形態の現像剤補給容器１は、図12に示すように、容器本体１ａの周面上の現像剤補給口１ｂ近傍に、装置シャッタと摺動自在に設けられた清掃部材としてのリブ部材16が容器本体１ａと一体で設けてある。このリブ部材16は、第１〜５実施形態のシール部材９と同様、長手方向の長さが少なくとも現像剤補給口１ｂの長手方向の幅（長さ）よりも長く設定され、更に現像剤補給口１ｂに対して現像剤補給後の容器操作時における回動方向上流側に取り付けられている。また、リブ部材16は、容器着脱操作時において、装置シャッタ８に摺擦するように構成されている
上記構成にあっても、現像剤補給容器１を取り出すときに該容器１を回転させることで、リブ部材16が装置シャッタ８の内周面を摺擦し、装置シャッタ８の上縁に蓄積した現像剤を拭き取ることができる。
【００７９】
なお、このリブ部材16は容器本体１ａと同様な剛性を有するものであることから、装置シャッタ８の内周面との摺動負荷が上がってしまうため（ユーザ操作性の悪化）、第１〜第５実施形態のように清掃部材は弾性部材である方がより好ましい。
【００８０】
〔第７実施形態〕
次に第７実施形態に係る装置について図13を参照して説明する。なお、本実施形態の装置の基本構成は前述した実施形態と同一であるため重複する説明は省略し、ここでは本実施形態の特徴となる構成について説明する。なお、前述した実施形態と同一機能を有する部材には同一符号を付す。
【００８１】
本例の現像剤補給容器の基本構成は以下の点を除き第２実施形態で図７を用いて説明した現像剤補給容器とほぼ同様である。
【００８２】
つまり、補給終了後、現像剤補給容器を補給位置から取り出し位置へ回動させた時点で、現像剤補給容器のシール部材９が容器シャッタ３により全てが覆われないようにした点が本例での特徴的な構成である。
【００８３】
このように現像剤補給容器が取り出し位置にあるときシール部材９の一部を露出させた理由は、装置シャッタ８の上縁近傍（図６（ａ））に僅かに付着している現像剤を現像剤補給容器の取り出し時のスライド動作を利用して拭き取るためである。
【００８４】
なぜならば、装置シャッタ８はストッパ７ｄに突き当たることにより再封する構成（図６（ｅ））となっており、装置シャッタとストッパ間に僅かながら現像剤が挟まれることがあり、これが原因でその近傍が汚れてしまう恐れがあるからである。
【００８５】
つまり、本例はこのような理由から、現像剤補給容器の取り出し時に、装置シャッタ８とストッパ７ｄが突き当たる領域近傍と摺動するシール部材９の部分のみを露出させるようにしているのである。なお、本例の構成であれば、現像剤補給容器の現像剤受入れ装置への装着時（スライド動作時）にも装置シャッタ８とストッパ７ｄが突き当たる領域近傍をシール部材９により拭き取ることが可能である。
【００８６】
〔他の実施形態〕
前述した実施形態では、現像剤補給容器の容器本体の形状として、略円筒状のものを例示したが、本発明はこれに限定されるものではなく、現像剤を収納する略筒状の形状であればその他の形状であっても良い。
【００８７】
また、前述した実施形体では、現像剤補給容器の容器本体を回動させることにより取り出し位置から補給位置へのセット動作を行う構成としているが、このような構成に限られない。
【００８８】
例えば、現像剤補給容器を外筒と内筒の二重構造とし、この外筒を容器シャッタとして機能させる一方、内筒は攪拌部材４が内装された現像剤収容部として機能させる構成である。具体的には、外筒は上述した実施形態１〜７にて説明した容器本体と構造を同様にし、内筒には外筒に設けられた現像剤補給口１ｂと連通可能な内筒開口を設ける。つまり、外筒には現像剤補給口１ｂをはじめ、スナップロック部６、シール部材９、ハンドル２などが設けられている。なお、現像剤補給容器が装着された時点で内筒は現像剤受け入れ装置に実質的に回転負荷に固定され、このとき、内筒開口は装置シャッタ８と外筒を介して受入れ口７ｂと対面した状態にある。一方、現像剤補給容器が外筒の現像剤補給口１ｂが上方を向くように装着される。その後、実施形態１〜７にて説明した容器本体の構成と同様に、外筒は現像剤補給口１ｂが受入れ口７ｂと連通する補給位置へ回動される。補給終了後は、これとは逆方向に、外筒を取り出し位置へと回動させることにより現像剤補給容器の取り出しが可能となる。
【００８９】
また前述した実施形態では、画像形成装置について具体的に例示してはいないが、現像剤を用いて画像形成を行う画像形成装置であって、例えば複写機、プリンタ、ファクシミリ装置等の画像形成装置や、これらの機能を組み合わせた複合機等の画像形成装置でもよい。更には、シート等の転写材を担持する転写搬送ベルト、転写ドラム等の転写材担持体を使用し、該転写材担持体に担持された転写材に各色の現像剤像を順次重ねて転写する画像形成装置や、中間転写ベルト、中間転写ドラム等の中間転写体を使用し、該中間転写体に各色の現像剤像を順次重ねて転写し、該中間転写体に担持された現像剤像を転写材に一括して転写する画像形成装置であっても良く、該画像形成装置における現像装置に現像剤を補給する現像剤補給容器に本発明を適用することにより同様の効果を得ることができる。
【００９０】
また本発明は、画像形成装置に用いられる現像装置の数に限定されるものではなく、例えば、１つの現像装置を有する画像形成装置、或いは、異なる色の現像剤で画像形成を行う複数個の現像装置を有する画像形成装置であっても良く、現像装置の数に関係なく同様に適用ができ、同様の作用効果を達成し得るものである。
【００９１】
また、本発明の現像剤補給容器は、画像形成装置に着脱自在に設けられて収納されている現像剤を画像形成装置に補給する上述の構成に限らず、例えば、画像形成装置に着脱自在に設けられた画像形成ユニットとしてのプロセスカートリッジ（現像剤受け入れ装置に相当）に対し現像剤補給容器を着脱自在に構成し、更に、このプロセスカートリッジへ収納されている現像剤を補給する構成であっても良い。
【００９２】
なお、このプロセスカートリッジは、上記実施形態にて説明した像担持体としての電子写真感光体と、この感光体に作用する帯電器、現像器、クリーナのうちの少なくとも１つの画像形成機器を一体に備えたものを指す。
【００９３】
以上において本発明を適用可能な実施例について説明したが本発明の権利範囲はこれに限られることは無く、本発明の思想の範囲内において種々の構成を公知の他の構成に変更可能であることは言うまでもない。
【００９４】
〔比較例〕
次に、前述した実施形態との比較例を例示して、本発明の効果を更に検証する。本比較例における現像剤補給容器１は、前述した実施形態におけるシール部材９が設けられていない。現像剤補給容器１のその他の構成、及び現像剤受け入れ装置７の構成は、前述した実施形態と略同様とした。
【００９５】
上記構成の現像剤補給容器１を現像剤受け入れ装置７に装着後現像剤補給を行った。その結果、現像剤補給容器１と装置シャッタ８との間に現像剤が侵入し、各々の表面に現像剤が付着したが、その後現像剤補給容器１を回転させても、前述した実施形態におけるシール部材９を設けていないと付着現像剤を拭き取ることができなかった。その結果、現像剤補給容器１を脱着したところ、現像剤補給容器１及び現像剤受け入れ装置７の装置シャッタ８周面に現像剤汚れが残ることがあった。
【００９６】
これに対して、前述した実施形態の構成にあってはシール部材９により拭き取られるために、装置シャッタ８の外面を現像剤で汚す状況を極力回避することができた。
【図面の簡単な説明】
【００９７】
【図１】本発明の電子写真画像形成装置の一例である電子写真複写機の構成を示す。
【図２】本発明の実施形態の現像装置の構成を示す部分断面図である。
【図３】本発明の第１実施形態における現像剤補給容器を示す、(a)斜視図、(b)側面、(c)Ａ部拡大図（容器シャッタ３省略）である。
【図４】本発明の第１実施形態における現像剤受け入れ装置を示す、(a)斜視図、(b)補給口開封時の斜視図、(c)補給口密封時の斜視図である。
【図５】本発明の第１実施形態における、(a)現像剤補給容器の現像剤受け入れ装置装着直後の様子を示す斜視図、(b)現像剤補給容器の現像剤受け入れ装置装着後ハンドル回転後の様子を示す斜視図である。
【図６】本発明の第１実施形態における現像剤補給容器の現像剤補給操作での、(a)容器装着直後、(b)容器回転中、(c)現像剤補給中、(d)現像剤補給完了、(e)、(f)容器回転中、の様子を示す側面断面図である。
【図７】本発明の第２実施形態における、(a)現像剤補給容器を示す斜視図、(b)現像剤受け入れ装置を示す斜視図である。
【図８】本発明の第３実施形態における、(a)現像剤補給容器を示す斜視図、(c)Ａ部拡大図（容器シャッタ３省略）である。
【図９】本発明の第３実施形態における現像剤補給容器の現像剤補給操作での、(a)容器装着直後、(b)容器回転中、(c)現像剤補給中、(d)現像剤補給完了、(e)、(f)容器回転中、の様子を示す側面断面図である。
【図１０】本発明の第４実施形態における現像剤補給容器の現像剤補給操作での、(a)容器装着直後、(b)容器回転中、(c)現像剤補給中、(d)現像剤補給完了、(e)、(f)容器回転中、の様子を示す側面断面図である。
【図１１】本発明の第５実施形態における現像剤補給容器の現像剤補給操作での、(a)容器装着直後、(b) 現像剤補給中、(c) 現像剤補給完了、(d)容器移動中、の様子を示す側面断面図である。
【図１２】本発明の第６実施形態における、現像剤補給容器を示す拡大図（容器シャッタ３省略）である。
【図１３】本発明の第７実施形態における、（ａ）現像剤補給容器を示す斜視図、（ｂ）現像剤補給容器の取り出し中の様子を示す図である。
【符号の説明】
【００９８】
１    …現像剤補給容器
１ａ  …容器本体
１ｂ  …現像剤補給口
１ｃ  …現像剤充填口
１ｄ  …ガイド部材
２    …ハンドル
３    …容器シャッタ
４    …撹拌部材
５    …駆動ギア部材
６    …スナップロック部
７    …現像剤受け入れ装置
７ａ  …収納部
７ｂ  …現像剤受け入れ口
７ｃ  …ガイド部材
７ｄ  …ストッパ
８    …装置シャッタ
８ａ  …係合部
９    …シール部材
【図１】
2006163374.tif 000003
【図２】
2006163374.tif 000004
【図３】
2006163374.tif 000005
【図４】
2006163374.tif 000006
【図５】
2006163374.tif 000007
【図６】
2006163374.tif 000008
【図７】
2006163374.tif 000009
【図８】
2006163374.tif 000010
【図９】
2006163374.tif 000011
【図１０】
2006163374.tif 000012
【図１１】
2006163374.tif 000013
【図１２】
2006163374.tif 000014
【図１３】
2006163374.tif 000015